(57)【要約】  コンテンツ視聴を行う表示装置に関して、ユーザがアカウント情報を表示装置に設定する手間を削減できる技術を提供する。宅内ネットワークを介して通信可能であり、ネットワーク上のサーバからコンテンツ配信サービスのコンテンツを受信して再生可能である第１の表示装置及び第２の表示装置と、各表示装置と通信可能である携帯端末と、を備えるコンテンツ視聴システムにおける情報処理方法であって、第１の表示装置が、コンテンツ配信サービスに関係付けられた、携帯端末に有するアカウント情報を、携帯端末から取得する第１のステップと、第１の表示装置が、そのアカウント情報を第２の表示装置へ転送する第２のステップと、第２の表示装置が、そのアカウント情報を用いてサーバからコンテンツを受信して再生する第３のステップと、を有する。
2017085759.tif 000002
【特許請求の範囲】
【請求項１】
宅内ネットワークを介して通信可能であり、ネットワーク上のサーバからコンテンツ配信サービスのコンテンツを受信して再生可能である第１の表示装置、及び第２の表示装置と、
前記第１の表示装置及び前記第２の表示装置のそれぞれと通信可能である携帯端末と、
を備えるコンテンツ視聴システムにおける情報処理方法であって、
前記第１の表示装置が、前記コンテンツ配信サービスに関係付けられた、前記携帯端末に有するアカウント情報を、前記携帯端末から取得する第１のステップと、
前記第１の表示装置が、前記第１のステップで取得した前記アカウント情報を、前記宅内ネットワークに接続されている前記第２の表示装置へ転送する第２のステップと、
前記第２の表示装置が、前記第２のステップで転送された前記アカウント情報を用いて、前記サーバから前記コンテンツを受信して再生する第３のステップと、
を有する、情報処理方法。
【請求項２】
請求項１記載の情報処理方法において、
前記第１のステップでは、前記第１の表示装置が出力するアカウント登録画面を介したアカウント登録処理を行って、前記携帯端末に有する前記アカウント情報を取得し、
前記第３のステップでは、前記アカウント登録画面を介したアカウント登録処理を行わずに、前記アカウント情報を用いて前記コンテンツを受信して再生する、
情報処理方法。
【請求項３】
宅内ネットワークを介して通信可能であり、ネットワーク上のサーバからコンテンツ配信サービスのコンテンツを受信して再生可能である表示装置と、
前記表示装置と通信可能である携帯端末と、
を備えるコンテンツ視聴システムにおける前記表示装置であって、
前記携帯端末と通信し、前記コンテンツ配信サービスに関係付けられた、前記携帯端末に有するアカウント情報を、前記携帯端末から取得し、
前記取得した前記アカウント情報を、前記宅内ネットワークに接続されている他の前記表示装置へ転送し、
前記転送された際に、前記転送された前記アカウント情報を用いて、前記サーバから前記コンテンツを受信して再生する、
表示装置。
【請求項４】
請求項３記載の表示装置において、
前記携帯端末との通信の際に、アカウント登録画面を出力し、前記アカウント登録画面を介したアカウント登録処理を行って、前記携帯端末に有する前記アカウント情報を取得し、
前記転送された際に、前記アカウント登録画面を介した前記アカウント登録処理を行わずに、前記アカウント情報を用いて前記コンテンツを受信して再生する、
表示装置。
【請求項５】
ユーザの宅内ネットワークに接続される表示装置であって、
外部からコンテンツを受信して表示するように再生するコンテンツ再生部と、
前記コンテンツを配信するコンテンツ配信サービスに関係付けられたアカウント情報を用いて、前記コンテンツを視聴するための認証に係わる処理を行う認証部と、
前記ユーザの携帯端末と通信して前記携帯端末に有する前記アカウント情報を取得し、前記宅内ネットワークに接続されている複数の前記表示装置で共有するアカウント情報として登録するアカウント情報共有部と、
を備える、表示装置。
【請求項６】
請求項５記載の表示装置において、
前記アカウント情報共有部は、
前記宅内ネットワークの他の表示装置から前記アカウント情報の問合せを受信した場合に、前記他の表示装置へ前記アカウント情報を転送する、第１の処理部と、
前記宅内ネットワークの他の表示装置へ前記アカウント情報の問合せを送信し、前記他の表示装置から転送された前記アカウント情報を受信し、自表示装置内に登録する、第２の処理部と、
を有する、表示装置。
【請求項７】
請求項５記載の表示装置において、
前記アカウント情報共有部は、
前記携帯端末から前記アカウント情報を取得し、前記宅内ネットワークの他の表示装置へ前記アカウント情報を即時に転送する、第１の処理部と、
前記宅内ネットワークの他の表示装置から前記即時に転送された前記アカウント情報を受信し、自表示装置内に登録する、第２の処理部と、
を有する、表示装置。
【請求項８】
請求項５記載の表示装置において、
前記アカウント情報共有部は、
前記携帯端末から前記アカウント情報を取得し、自表示装置内に前記アカウント情報を登録し、前記宅内ネットワークの他の表示装置から前記アカウント情報の参照要求を受信した場合に、前記他の表示装置へ前記アカウント情報を応答する、第１の処理部と、
前記認証が発生した場合に、前記宅内ネットワークの他の表示装置へ前記アカウント情報の参照要求を送信し、前記他の表示装置から受信した前記アカウント情報を、自表示装置内に登録せずに前記認証に利用する、第２の処理部と、
を有する、表示装置。
【請求項９】
請求項５記載の表示装置において、
前記アカウント情報共有部は、前記アカウント情報を登録した場合に、前記携帯端末の所在確認を行い、前記携帯端末が前記宅内ネットワークに関係付けられた宅内にいないことを検出した場合には、前記登録した前記アカウント情報を削除する、
表示装置。
【請求項１０】
請求項５記載の表示装置において、
前記アカウント情報共有部は、前記アカウント情報を登録した場合で、かつ、前記認証の結果が失敗である場合には、前記登録した前記アカウント情報を削除する、
表示装置。
【請求項１１】
請求項５記載の表示装置において、
前記宅内ネットワークの複数の表示装置における前記アカウント情報の共有に係わるユーザ設定を行うユーザ設定部を有し、
前記ユーザ設定部は、ユーザ入力操作に基づいて、設定画面を表示し、
前記設定画面では、前記複数の表示装置における個別の表示装置毎に、前記アカウント情報を共有するか否かを設定するための項目を含む、
表示装置。
【請求項１２】
請求項１１記載の表示装置において、
前記設定画面では、前記ユーザの前記宅内ネットワークに関係付けられた宅内に対するゲストの携帯端末が存在する場合に、前記ゲストの携帯端末に有するアカウント情報を前記共有するアカウント情報として登録するか否かを設定するための項目を含む、表示装置。
【発明の詳細な説明】
【技術分野】
【０００１】
本発明は、コンテンツ配信サービスのコンテンツ視聴に係わる情報処理及び表示技術に関する。
【背景技術】
【０００２】
通信網上で動画等のコンテンツを配信する各種のコンテンツ配信サービスがある。コンテンツ配信サービスでは、ユーザがサービスを利用してコンテンツを視聴することに関して、権限や許可等の制御が必要である。言い換えると、ユーザの機器がコンテンツを受信及び再生することに関して、制御が必要である。従来、その制御のために、コンテンツ配信サービスを利用するユーザに関連付けられたアカウント情報が用いられている。コンテンツ配信サーバは、アカウント情報を用いて認証を行い、認証の結果が成功である場合には、ユーザの機器におけるコンテンツの受信及び再生を許可する。【０００３】
一方、近年では、ユーザの宅内ネットワークに、テレビ受像機（以下、「表示装置」等と記載する場合がある）を含む複数の機器が接続されて、宅内システムが構成される場合も増えている。【０００４】
コンテンツ視聴の制限に関する先行技術例として、特許第５２４８１８０号公報（特許文献１）が挙げられる。特許文献１には、「操作対象装置」として、「所定の操作の実行を制限されている操作者に対して、権限を有する許可者が簡易な操作で許可を与えることにより、上記操作者が上記制限されている操作を実行可能とする」旨の記載がある。
【先行技術文献】
【特許文献】
【０００５】
【特許文献１】特許第５２４８１８０号公報
【発明の概要】
【発明が解決しようとする課題】
【０００６】
特許文献１のような従来技術によれば、コンテンツ視聴の制限が可能である。しかし、従来技術は、上記ユーザの宅内ネットワークのような、様々な使用環境及び使用状況を考慮したものではない。そのため、それに対応させる場合には、ユーザにとって使い勝手が十分ではなく、利便性の点で課題がある。【０００７】
ユーザは、宅内ネットワークに接続されるテレビ受像機等の機器をコンテンツ再生装置として、コンテンツ配信サービスを利用し、コンテンツ視聴ができる。ユーザは、その機器でコンテンツ視聴を可能とするためには、その機器にコンテンツ配信サービスのアカウント情報を設定する作業が必要である。例えば、ユーザは、自分の携帯端末に関連付けられて有しているアカウント情報を、宅内ネットワークのその機器に設定する。【０００８】
しかし、宅内ネットワークに複数の機器が接続されている場合、各機器にアカウント情報を設定する作業が必要であるため、ユーザの手間が大きい。また、登録したいアカウント情報が複数存在する場合等には、更にユーザの手間が大きい。【０００９】
本発明の目的は、コンテンツ視聴を行うための表示装置を含む技術に関して、アカウント情報を用いたコンテンツ視聴の権限の制御を確保しつつ、ユーザがアカウント情報を機器に設定する手間を削減でき、様々な環境や状況で使い勝手が良く利便性を高くすることができる技術を提供することである。
【課題を解決するための手段】
【００１０】
本発明のうち代表的な実施の形態は、情報処理方法及び表示装置であって、以下に示す構成を有することを特徴とする。【００１１】
一実施の形態の情報処理方法は、宅内ネットワークを介して通信可能であり、ネットワーク上のサーバからコンテンツ配信サービスのコンテンツを受信して再生可能である第１の表示装置、及び第２の表示装置と、前記第１の表示装置及び前記第２の表示装置のそれぞれと通信可能である携帯端末と、を備えるコンテンツ視聴システムにおける情報処理方法であって、前記第１の表示装置が、前記コンテンツ配信サービスに関係付けられた、前記携帯端末に有するアカウント情報を、前記携帯端末から取得する第１のステップと、前記第１の表示装置が、前記第１のステップで取得した前記アカウント情報を、前記宅内ネットワークに接続されている前記第２の表示装置へ転送する第２のステップと、前記第２の表示装置が、前記第２のステップで転送された前記アカウント情報を用いて、前記サーバから前記コンテンツを受信して再生する第３のステップと、を有する。【００１２】
一実施の形態の表示装置は、宅内ネットワークを介して通信可能であり、ネットワーク上のサーバからコンテンツ配信サービスのコンテンツを受信して再生可能である表示装置と、前記表示装置と通信可能である携帯端末と、を備えるコンテンツ視聴システムにおける前記表示装置であって、前記携帯端末と通信し、前記コンテンツ配信サービスに関係付けられた、前記携帯端末に有するアカウント情報を、前記携帯端末から取得し、前記取得した前記アカウント情報を、前記宅内ネットワークに接続されている他の表示装置へ転送し、前記転送された際に、前記転送された前記アカウント情報を用いて、前記サーバから前記コンテンツを受信して再生する。
【発明の効果】
【００１３】
本発明のうち代表的な実施の形態によれば、コンテンツ視聴を行うための表示装置を含む技術に関して、アカウント情報を用いたコンテンツ視聴の権限の制御を確保しつつ、ユーザがアカウント情報を機器に設定する手間を削減でき、様々な環境や状況で使い勝手が良く利便性を高くすることができる。
【図面の簡単な説明】
【００１４】
【図１】本発明の実施の形態１の表示装置を含むシステムの構成を示す図である。
【図２】実施の形態１における、コンテンツ配信サーバの構成を示す図である。
【図３】実施の形態１における、表示装置のハードウェア構成を示す図である。
【図４】実施の形態１における、表示装置のソフトウェア構成を示す図である。
【図５】実施の形態１における、初回設定時の動作シーケンス例を示す図である。
【図６】実施の形態１における、表示装置の処理フローを示す図である。
【図７】実施の形態１の第１の変形例における、初回設定時の動作シーケンス例を示す図である。
【図８】本発明の実施の形態２の表示装置を含むシステム、及び初回設定時の動作シーケンス例を示す図である。
【図９】実施の形態２における、表示装置の処理フローを示す図である。
【図１０】本発明の実施の形態３の表示装置を含むシステム、及び初回設定時の動作シーケンス例を示す図である。
【図１１】実施の形態３における、表示装置の処理フローを示す図である。
【図１２】実施の形態３の第１の変形例における、表示装置の処理フローを示す図である。
【図１３】本発明の実施の形態４の表示装置を含むシステム、及び初回設定時の動作シーケンス例を示す図である。
【図１４】実施の形態４における、アカウント登録画面の例を示す図である。
【図１５】実施の形態４における、設定画面の例を示す図である。
【図１６】実施の形態４における、設定情報のテーブル例を示す図である。
【発明を実施するための形態】
【００１５】
以下、図面を用いながら、本発明の実施の形態について詳細に説明する。
【００１６】
（実施の形態１）
図１〜図７を用いて、本発明の実施の形態１の情報処理方法及び表示装置について説明する。実施の形態１の情報処理方法は、実施の形態１の表示装置を含むコンテンツ視聴システムで実行されるステップを含む方法である。
【００１７】
［コンテンツ配信サービス、ユーザ認証、アカウント情報］
まず、以降の実施の形態の前提及び適用対象であるコンテンツ配信サービス、ユーザ認証、及びアカウント情報、等について説明する。コンテンツ配信サービスとして、ＩＰＴＶサービス等がある。ＩＰＴＶサービスは、インターネット上で、映像や音声や文字情報等を含む映画や動画配信番組等のコンテンツを、ユーザの機器に配信するサービスである。ユーザの機器は、コンテンツ再生装置であって、携帯端末や、テレビ受像機等の表示装置がある。
【００１８】
コンテンツ配信サービスを利用してコンテンツ視聴を可能とするためのアカウント情報を有する。サービス事業者のコンテンツ配信サーバに対し、ユーザが、アカウント情報等の登録により正規利用者として登録される。コンテンツ配信サーバは、サービス及びコンテンツの権限の制御のために、アカウント情報を用いて認証を行う。ユーザ及び機器は、サービスの利用及びコンテンツ視聴の際に、アカウント情報を用いた認証を受ける必要がある。認証を用いた権限の制御により、コンテンツに関する無断のコピーや移動や改変等の法令違反行為等が防止される。認証は、コンテンツ配信サービスへのログイン時に要求される場合もあるし、コンテンツ毎の再生の際に要求される場合もある。
【００１９】
例えば、コンテンツ配信サーバは、ユーザ認証を行う。コンテンツ配信サーバは、登録アカウント情報と、ユーザの機器から受け取ったアカウント情報とを比較照合してユーザ認証を行う。認証として、ユーザ認証の他に、機器認証が行われる場合もある。機器認証は、ユーザがコンテンツ視聴に使用する機器に関する認証である。機器認証では、許可される機器や推奨される機器であるかが確認される。
【００２０】
アカウント情報は、コンテンツ配信サービス毎にユーザに設定されるアカウントに関連付けられる情報である。アカウント情報は、例えばユーザＩＤとパスワードとの組合せの情報であるが、これに限らない。ユーザ認証としては、生体認証を含んでもよい。その場合、アカウント情報には、生体認証用の情報を含んでもよい。
【００２１】
アカウント情報や、配信されるコンテンツは、所定の保護のための手段、例えば暗号化等が施されてもよい。例えば、予めコンテンツが所定方式で暗号化され、復号のための鍵情報が別途やり取りされる。鍵情報は、コンテンツ再生条件と共に管理される。
【００２２】
コンテンツ配信サービスでは、サービス事業者により利用料の課金が行われることが多い。課金は、所定方式で行われ、課金情報が記録される。例えば、ユーザの機器でのデータ蓄積の際やコンテンツ視聴の際のカウントに基づいて料金が計算される。
【００２３】
コンテンツ配信サービスのコンテンツ再生は、同一のユーザ、同一の機器が基本であるが、所定条件で複数のユーザや複数の機器でのコンテンツ再生を許可するサービスもある。コンテンツ配信方式は、ストリーミング、ダウンロード、プログレッシブダウンロード等がある。コンテンツには、アプリケーションソフトウェア等のプログラムを伴う場合もある。ユーザの機器でコンテンツ再生の際にそのプログラムが動作する。
【００２４】
［携帯端末、表示装置、アカウント設定作業］
アカウント情報は、例えばユーザの機器である携帯端末に関連付けられて有する場合がある。即ち、携帯端末内の記憶手段にそのアカウント情報が記憶されている場合がある。例えば、ユーザは、携帯端末にそのアカウント情報を入力する。あるいは、サービス事業者や、ネットワーク上の装置は、携帯端末にそのアカウント情報を入力する。ユーザは、携帯端末で、そのアカウント情報を用いて、コンテンツ配信サービスの利用、即ちコンテンツ視聴が可能である。実施の形態は、携帯端末に関連付けられて有するアカウント情報を利用して宅内ネットワークの表示装置でもコンテンツ配信サービスを利用可能とする場合を考慮したものである。
【００２５】
実施の形態は、携帯端末にアカウント情報を有する状態が前提である。その状態から、ユーザの宅内ネットワークの表示装置でもそのアカウント情報を用いてコンテンツ配信サービスを利用できる状態にする。表示装置でのコンテンツ視聴のためのユーザ認証の際に、携帯端末に有するアカウント情報を利用する。
【００２６】
そのためには、従来、ユーザは、携帯端末に有するアカウント情報を、宅内ネットワークに接続されている各々の表示装置に設定する作業が必要である。全ての表示装置でコンテンツ視聴を可能とするためには、各々の表示装置に個別にアカウント情報を設定する必要がある。その設定を含む作業におけるユーザの手間が大きい。
【００２７】
そこで、実施の形態では、携帯端末に有するアカウント情報を宅内の複数の表示装置へ登録することを自動化する仕組み、宅内ネットワークの複数の表示装置で携帯端末のアカウント情報を共有する仕組みを提供する。この仕組みにより、携帯端末のアカウント情報を宅内の複数の表示装置で利用可能にする場合の利便性を向上させる。実施の形態では、この仕組みに対応したアカウント共有機能を提供する。
【００２８】
［コンテンツ視聴システム］
図１は、実施の形態１の表示装置を含むシステムであるコンテンツ視聴システムの構成を示す。コンテンツ視聴システムは、表示装置１、携帯端末２、宅内ネットワーク５、外部ネットワーク６、コンテンツ配信サーバ７、放送局８等を有する。
【００２９】
表示装置１は、テレビ受像機であって、コンテンツの受信及び再生が可能であるコンテンツ再生装置である。表示装置１は、放送番組やコンテンツを受信及び再生する機能として、そのコンテンツ等を画面に表示する表示機能等を有する機器である。表示装置１として、ユーザの宅内ネットワーク５に接続されている複数の表示装置１を有する。図１では、複数（ｎ台）の表示装置１として、表示装置１ａ，表示装置１ｂ，……，表示装置１ｎを有する。なお、各表示装置１に付与されている名称を「ＴＶ１」〜「ＴＶｎ」で示す。
【００３０】
表示装置１は、液晶表示装置、投射型映像表示装置（プロジェクタ）、ＰＣ、モニタ装置、タブレット装置、レコーダー、セットトップボックス、ビデオゲーム機、等の各種の機器が適用可能である。レコーダーやセットトップボックス等の場合には、表示機能を備えないが、表示機能を備える他の機器と接続されて連携する形で適用可能である。
【００３１】
ユーザの宅内である家庭や店舗等において、宅内ネットワーク５が構成されている。宅内ネットワーク５に、複数の表示装置１である複数のテレビ受像機が接続されている。宅内ネットワーク５は、あるユーザ（Ｕ１とする）の管理下にあり、他のユーザが基本的には利用できないネットワークである。宅内ネットワーク５は、例えばルータやスイッチ等の機器及びケーブル等で構成されている。ユーザは、それらの機器を購入または賃貸して使用している。
【００３２】
宅内ネットワーク５は、Ｗｉ−Ｆｉ等の無線ＬＡＮに対応した通信インタフェースに対応した通信網である。宅内ネットワーク５と表示装置１は、その通信インタフェースで接続されている。Ｗｉ−Ｆｉは、ＩＥＥＥの規格“ＩＥＥＥ ８０２．１１ａ／ＩＥＥＥ ８０２．１１ｂ”で策定された無線ＬＡＮの標準規格である。宅内ネットワーク５は、有線ＬＡＮに対応した通信インタフェースに対応した通信網でもよい。宅内ネットワーク５は、インターネット等の外部ネットワーク６と接続可能である。宅内ネットワーク５は、外部ネットワーク６との通信インタフェース、例えば光通信インタフェースを有する。
【００３３】
コンテンツ配信サーバ７は、外部ネットワーク６に接続されている。コンテンツ配信サーバ７は、サービス事業者により管理され、所定のコンテンツ配信サービスを提供するサーバ装置である。コンテンツ配信サーバ７は、コンテンツを保持し管理している。コンテンツ配信サーバ７は、外部ネットワーク６を通じて接続される表示装置１からの要求に応じてコンテンツを配信する。
【００３４】
コンテンツは、映像や音声や文字情報等を含む映画や動画配信番組等である。コンテンツは、コンテンツデータとコンテンツ情報とを含む。コンテンツデータは、動画等のデータである。コンテンツ情報は、コンテンツに関する管理や制御用の情報、メタデータ等である。
【００３５】
放送局８は、放送波により放送番組等を提供する。表示装置１であるテレビ受像機は、放送波を受信して放送番組等を再生して画面に表示する機能を有する。
【００３６】
宅内ネットワーク５の複数の表示装置１における各機器は、宅内ネットワーク５及び外部ネットワーク６を通じて、コンテンツ配信サーバ７を含む外部のサーバ等との間で情報授受可能である。各機器は、アカウント情報を用いた認証を経ることで、コンテンツ配信サーバ７のコンテンツ配信サービスが利用可能であり、コンテンツを受信及び再生可能である。表示装置１は、ユーザ操作に基づいて、宅内ネットワーク５及び外部ネットワーク６経由でコンテンツ配信サーバ７と通信する。表示装置１は、コンテンツ配信サーバ７に、コンテンツ再生要求や、ユーザ認証のためのアカウント情報を含むユーザ認証情報を送信する。表示装置１は、ユーザ認証の成功後、コンテンツ配信サーバ７からコンテンツ等を受信し再生する。これにより、ユーザは、表示装置１でコンテンツを視聴可能である。
【００３７】
図１の複数の表示装置１の構成は同様とし、同じ機能を有する。これに限らず、複数の表示装置１は、必須要素以外、例えば表示方式や付属機能等については、異なっていてもよく、異なる型式の機器が混在していてもよい。図１では、最初の状態で、宅内ネットワーク５に複数（ｎ台）の表示装置１が設置及び接続済みである。これに限らず、宅内ネットワーク５には、適宜、表示装置１の追加、撤去、交換等が発生してもよい。
【００３８】
ユーザの携帯端末２は、スマートフォンやタブレット等の他、各種の機器が適用可能である。携帯端末２は、無線通信機能等を含む公知の構成を有する。携帯端末２及び表示装置１は、宅内で両者が接続して通信するための通信インタフェースを有する。この通信インタフェースは、無線でも有線でもよいし、近距離通信インタフェースでもよい。
【００３９】
携帯端末２にはアカウント情報１０１を有する。携帯端末２内の記憶手段に、少なくとも一時的に、アカウント情報１０１が記憶されている。図１の例では、携帯端末２に、コンテンツ配信サーバ７のコンテンツ配信サービス（Ｘ１で示す）に関係付けられたユーザＵ１のアカウント情報（Ａ１で示す）１０１を有する。このアカウント情報１０１が、表示装置１に設定する対象である。
【００４０】
携帯端末２は、表示装置１と連携するためのプログラム等を備えていてもよい。そのプログラムは、表示装置１のアカウント共有機能を利用するためのアプリでもよい。そのアプリは、アカウント共有機能により提供される画面を携帯端末２に表示してもよい。
【００４１】
また、表示装置１と連携するためのプログラムは、携帯端末２から表示装置１に指示を与えて表示装置１の機能を利用するためのアプリでもよい。即ち、そのアプリは、携帯端末２を表示装置１のリモコンとして使用するためのアプリでもよい。この場合、携帯端末２を表示装置１に対する入力手段として使用可能である。
【００４２】
携帯端末２は、表示装置１との通信接続状態で、ユーザ入力操作に基づいて、表示装置１に所定の制御操作のための指示を送信する。表示装置１は、携帯端末２からその指示を受信し、その指示に従い、所定の制御操作に対応する動作を実行する。
【００４３】
表示装置１は、構成要素である処理部として、コンテンツ再生部４２、ユーザ認証部４４、アカウント情報共有部４５を含む。コンテンツ再生部４２は、表示装置１でコンテンツを受信及び再生して画面に表示する処理を行う。ユーザ認証部４４は、表示装置１でコンテンツ配信サーバ７からのユーザ認証に係わる処理を、アカウント情報を用いて行う。アカウント情報共有部４５は、アカウント共有機能を実現する要素である。アカウント情報共有部４５は、ユーザ認証部４４と連携し、宅内ネットワーク５の複数の表示装置１で携帯端末２のアカウント情報を共有させる処理を行う。各部の詳細については後述する。
【００４４】
［コンテンツ配信サーバ］
図２は、コンテンツ配信サーバ７のハードウェア及びソフトウェアの機能ブロック構成を示す。コンテンツ配信サーバ７は、通信インタフェース部５０、制御部５１、メモリ５２、ストレージ５３等を有し、それらがバス５７を介して接続されている。
【００４５】
ストレージ５３には、各種データ、アプリケーションプログラム等のプログラム、アプリケーションプログラムにより生成される各種情報、コンテンツ５４、ユーザ管理情報５５、機器情報５６、等が格納されている。
【００４６】
制御部５１は、コンテンツ配信サーバ７を制御する。制御部５１は、ストレージ５３からプログラムをメモリ５２に展開して実行することにより、メモリ５２に各種プログラム機能部を構成する。各種プログラム機能部によりコンテンツ配信サーバ７の各種機能が実現される。各種プログラム機能部は、ユーザ管理部３１、コンテンツ管理部３２、コンテンツ配信部３３を含む。
【００４７】
通信インタフェース部５０は、外部ネットワーク６に対する通信インタフェースを有し、外部ネットワーク６と接続し通信処理を行う。通信インタフェース部５０は、外部ネットワーク６及び宅内ネットワーク５経由で表示装置１との間で情報を送受信する。
【００４８】
ユーザ管理部３１は、ユーザ認証や機器認証を行う機能を含み、認証用の情報を、ストレージ５３内のユーザ管理情報５５や機器情報５６に管理している。ユーザ管理部３１は、アカウント情報を用いたユーザ認証により、表示装置１のユーザを区別する。
【００４９】
ユーザ管理情報５５は、ユーザのアカウント情報を含むユーザ認証用の情報である。機器情報５６は、機器認証用の情報である。ユーザ管理情報５５には、例えばテーブル形式で、アカウント情報及びユーザ基本情報を含む情報が管理されている。ユーザ基本情報は、氏名、住所、連絡先等の情報である。ユーザ管理情報５５には、鍵情報、レジューム情報、課金情報、等が管理されてもよい。レジューム情報は、ユーザの機器でのコンテンツ再生停止位置等の情報である。
【００５０】
コンテンツ管理部３２は、配信対象のコンテンツを、ストレージ５３内にコンテンツ５４として蓄積し管理している。コンテンツ５４は、コンテンツデータ及びコンテンツ情報を含む。コンテンツ５４は、コンテンツ配信サーバ７の外部の装置、例えば外部ネットワーク６上のＤＢサーバ等に格納されていてもよい。コンテンツ５４は、アプリケーション、付随情報、等を含んでもよい。このアプリケーションとは、例えばコンテンツデータと共に送信されて表示装置１でコンテンツを再生する際に使用されるプログラムである。
【００５１】
コンテンツ情報の例としては、コンテンツＩＤ、フォーマット、説明情報、サイズ、対象機器、料金情報、視聴期間、等がある。説明情報は、ジャンル、タイトル等を含む。対象機器は、コンテンツの表示やアプリケーションの実行に適する機器を示す情報である。料金情報は、コンテンツ配信サービスの利用料金を管理するための情報である。
【００５２】
コンテンツ配信部３３は、コンテンツ５４に基づいたコンテンツを、通信インタフェース部５０を通じて、ユーザの機器である表示装置１や携帯端末２に配信する処理を行う。コンテンツ配信部３３は、ユーザの機器の性能に合わせてコンテンツを配信する制御、例えば適した解像度のコンテンツデータを配信する処理を行う。
【００５３】
コンテンツ配信サーバ７は、ユーザの機器から、コンテンツ配信サービスへのログイン時、あるいはコンテンツ再生要求を受けた時に、ユーザ管理部３１によりユーザ認証を行う。その際、ユーザ管理部３１は、ユーザの機器から、アカウント情報を含むユーザ認証情報を受信する。また、ユーザ管理部３１は、機器認証を行う場合には、ユーザの機器から機器情報、例えば表示装置１の機器ＩＤを受信する。ユーザ管理部３１は、ユーザ管理情報５５内のアカウント情報を参照し、ユーザの機器からのアカウント情報と比較照合し、ユーザ認証の結果を判定する。ユーザ管理部３１は、両者の情報が一致の場合、結果を成功とし、不一致の場合、結果を失敗とする。また、ユーザ管理部３１は、コンテンツ配信サービスに応じた所定の条件を満たさない場合、結果を失敗にする。ユーザ管理部３１は、認証の結果を表す応答をユーザの機器へ送信する。コンテンツ配信サーバ７は、ユーザ認証の結果が成功の場合、ユーザの機器でのコンテンツの受信及び再生を許可する。そして、コンテンツ配信部３３により、コンテンツ５４における指定されたコンテンツをユーザの機器に配信する。
【００５４】
コンテンツ配信サービスに応じるが、アカウントについては、１つの表示装置１または複数の表示装置１に対して、複数のアカウントの割り当ても可能である。また、アカウントについては、複数のアカウント間の従属関係の設定も可能である。
【００５５】
［表示装置のハードウェア構成］
図３は、実施の形態１の表示装置１であるテレビ受像機のハードウェア構成を示す。表示装置１は、アンテナ１１に接続され、チューナ復調部１２、選局制御部１３、信号分離部１４、音声復号部１５、スピーカ１６、音声出力部１７、映像復号部１８、重畳部１９、表示部２０、映像出力部２１、通信インタフェース部２２、入力手段２３、制御部２４、メモリ２５、ストレージ２６、デジタルインタフェース部２７等を有する。各部はバス２８を介して接続されている。
【００５６】
ストレージ２６には、各種データ、アプリケーションプログラム等のプログラム、アプリケーションプログラムにより生成される各種情報、配信で受信したコンテンツ、等が格納されている。
【００５７】
制御部２４は、表示装置１を制御する。制御部２４は、ストレージ２６からプログラムをメモリ２５に展開して実行する。これにより、メモリ２５に各種プログラム機能部が構成される。各種プログラム機能部により表示装置１の各種機能が実現される。
【００５８】
入力手段２３は、表示装置１に対するユーザ入力操作を受け付ける入力デバイス及び入力インタフェース等であり、例えば、操作パネル、リモコン、キーボード、マウス、タッチパネル等がある。ユーザは、入力手段２３を用いて表示装置１に指示や設定ができる。制御部２４は、入力手段２３を通じてユーザ入力操作を受け、選局制御部１３、信号分離部１４、重畳部１９、各種プログラム機能部、ストレージ２６、通信インタフェース部２２、等の各部を制御する。
【００５９】
チューナ復調部１２は、選局制御部１３により制御されて、所望のサービスのチャネルに同調する。チューナ復調部１２は、アンテナ１１を介して受信した放送局８からのデジタル放送信号を選局し、復調して、トランスポートストリームを生成する。選局制御部１３は、入力手段２３を介してサービス選局指示を受け、選局するチャネルを切り替えるようにチューナ復調部１２を制御する。選局制御部１３は、各種プログラム機能部からの指示により、現在放送中の番組等を放送しているサービスのチャネル番号等に切り替えるようにチューナ復調部１２を制御する。
【００６０】
通信インタフェース部２２は、宅内ネットワーク５との通信インタフェース、及び携帯端末２との通信インタフェースを有し、それぞれの通信処理を行う。通信インタフェース部２２は、無線ＬＡＮ等に対応した通信インタフェースで宅内ネットワーク５に接続される。通信インタフェース部２２は、宅内ネットワーク５を介して外部ネットワーク６上の装置との間で通信処理を行う。通信インタフェース部２２は、コンテンツ配信サーバ７からＩＰＴＶサービスのコンテンツとして、コンテンツストリームまたは映像音声ストリーム、あるいはアプリケーションプログラム等を受信可能である。通信インタフェース部２２は、携帯端末２との間で、直接、または宅内ネットワーク５を介して、通信処理を行う。
【００６１】
通信インタフェース部２２を通じて受信されたデータ及び情報は、ストレージ２６等に格納される。通信インタフェース部２２は、宅内ネットワーク５との通信機能に加えて、またはそれに替えて、所定の通信インタフェースで外部機器と直接通信する機能を有してもよい。その通信インタフェースは、Ｗｉ‐Ｆｉ等の無線ＬＡＮ、ＩｒＤＡ（登録商標）、Ｂｌｕｅｔｏｏｔｈ（登録商標）、ＮＦＣ（Near Field Communication）等が可能である。
【００６２】
信号分離部１４は、チューナ復調部１２で得たトランスポートストリームや、通信インタフェース部２２を通じて得たコンテンツのストリームについて、映像データ、音声データ、字幕文データ、番組情報、等の種類毎に分離する。信号分離部１４は、番組情報を取得して他の処理部に送信する機能を有する。信号分離部１４は、他の処理部からデータ送信要求があった場合、指定されたデータを要求元へ送信する。
【００６３】
音声復号部１５は、信号分離部１４で分離された音声データを復号する。音声復号部１５で復号された音声情報は、スピーカ１６から出力される。音声復号部１５で復号された音声情報は、音声出力部１７から外部機器へ出力されてもよい。映像復号部１８は、信号分離部１４で分離された映像データを復号する。映像復号部１８で復号された映像情報は、重畳部１９に送られる。
【００６４】
重畳部１９は、映像復号部１８からの復号映像情報に、各種プログラム機能部で作成されたＥＰＧ画像、ＯＳＤ画像、信号分離部１４で分離された各種情報から生成された画像、等を重畳する。各種情報は、字幕情報等がある。重畳部１９は、後述するブラウザエンジンで作成されたブラウザ表示画面と映像信号との合成、またはそれらの選択切り替え等を行う。重畳部１９を経た映像情報は、表示部２０へ送られて表示部２０で表示される。
【００６５】
表示部２０は、例えば液晶パネルあるいは投射光学系等により構成される。表示部２０は、映像情報を画面に表示する。映像情報は、チューナ復調部１２を介した放送の映像、通信インタフェース部２２を介した配信の映像、ユーザインタフェース情報、ブラウザ表示画面、ストレージ２６内の画像、アプリケーションプログラムにより生成されたもの、等がある。重畳部１９を経た映像情報は、映像出力部２１から外部機器へ出力されてもよい。デジタルインタフェース部２７は、信号分離部１４で分離されたトランスポートストリームを、映像や音声の復号を介さずに、デジタルデータとして外部に出力する。
【００６６】
なお、表示装置１がレコーダーやセットトップボックス等の機器である場合、表示部２０やスピーカ１６等の要素を省略した構成を有する。そして、このレコーダー等の機器に対して外部接続されるテレビ受像機やモニタ装置やスピーカ等の機器を有する。レコーダー等の機器から外部機器へ映像や音声等を転送して外部機器で出力させる。表示装置１がＰＣやモニタ装置等である場合、放送波を受信する機能、即ちアンテナ１１やチューナ復調部１２等が省略された構成を有する。
【００６７】
［表示装置のソフトウェア構成］
図４は、図２の表示装置１のソフトウェア構成として、メモリ２５及びストレージ２６の構成を示す。ストレージ２６には、各種データ５０１、プログラム、コンテンツ５０２、アカウント情報５０４を含むユーザ認証情報５０３、設定情報５０５、等が格納されている。プログラムは、ブラウザプログラム４０１、コンテンツ再生プログラム４０２、各種アプリケーションプログラム４０３、ユーザ認証プログラム４０４、アカウント情報共有プログラム４０５を含む。各プログラムは、メモリ２５に展開されることで、ブラウザエンジン４１、コンテンツ再生部４２、各種アプリケーション部４３、ユーザ認証部４４、アカウント情報共有部４５、ユーザ設定部４６、等を構成する。
【００６８】
アカウント情報５０４は、ユーザ認証の際にユーザにより入力手段２３を通じて入力されたユーザ入力情報、または後述の共有アカウント情報である。アカウント情報５０４は、例えばユーザＩＤとパスワードとの組合せの情報である。ユーザ認証情報５０３は、ストレージ２６内に限らず、図示しない不揮発性メモリや外部記憶手段に格納されてもよい。ユーザ認証情報５０３内またはそれと並列で、機器認証が行われる場合の機器認証情報を含んでもよい。機器認証情報は、例えば携帯端末２や表示装置１の機器ＩＤを含む。機器ＩＤとしては、例えばＭＡＣアドレスや、製造時の固有ＩＤがある。アカウント情報５０４を含むユーザ認証情報５０３は、ユーザが値を可変に設定できるものとしてもよいし、サービス事業者等により予め決定されたものとしてもよい。
【００６９】
ブラウザエンジン４１は、ＨＴＭＬパーサー、ＤＢ作成部、レンダリング部、画像処理部等の機能ブロックを含む。ＨＴＭＬパーサーは、制御部２４を介して取得したＨＴＭＬデータの論理的な構造を解析する。ＨＴＭＬパーサーは、そのＨＴＭＬデータを解釈してテレビ受像機で使用する内部データへ変換可能である。ＤＢ作成部は、そのＨＴＭＬデータの構造に関するデータベースを生成する。レンダリング部は、そのデータベースに基づいて、各タグで決められた表現形式の情報を含むレイアウト構造を生成する。レンダリング部は、そのレイアウト構造に基づいて、大きさ、位置、画像を取り込んだデータの通りにブラウザ表示画面を生成する。画像処理部は、ＨＴＭＬデータにおいて画像タグで指定された画像ファイル情報に基づいて、取得した画像ファイルを画像データに変換する。
【００７０】
コンテンツ再生部４２は、通信インタフェース部２２を通じてコンテンツ配信サーバ７からコンテンツを受信し、ストレージ２６内にコンテンツ５０２として格納する。コンテンツ再生部４２は、コンテンツ５０２を再生する処理、即ちコンテンツ５０２の映像を表示部２０の画面に表示する処理等を行う。
【００７１】
ユーザ認証部４４は、コンテンツ配信サーバ７からのユーザ認証の際、アカウント情報５０４を含むユーザ認証情報５０３を用いてユーザ認証に係わる処理を行う。ユーザ認証部４４は、ユーザ認証の際、ユーザ認証情報５０４を、通信インタフェース部２２を通じて、宅内ネットワーク５及び外部ネットワーク６経由で、コンテンツ配信サーバ７に送信する。ユーザ認証部４４は、コンテンツ配信サーバ７からユーザ認証の結果を受信する。ユーザ認証部４４は、ユーザ認証の際、表示部２０の画面に、ユーザ認証情報やメッセージ等のユーザインタフェース情報を表示してもよい。
【００７２】
各種アプリケーション部４３のアプリケーションは、ユーザが好みに合わせてコンテンツ配信サーバ７等からダウンロードしたアプリケーションを示す。各種アプリケーション部４３は、そのアプリケーションに応じた処理を実行する。
【００７３】
アカウント情報共有部４５は、ユーザ認証部４４のユーザ認証に係わる処理と連携する。アカウント情報共有部４５は、宅内ネットワーク５の複数の表示装置１でアカウント情報を共有するための処理を行う。アカウント情報共有部４５は、携帯端末２に関連付けられて有するアカウント情報を、携帯端末２から直接または宅内ネットワーク５経由で入手する。アカウント情報共有部４５は、そのアカウント情報を、ユーザ認証情報５０３内にアカウント情報５０４として登録する。アカウント情報共有部４５は、そのアカウント情報を、宅内ネットワーク５の複数の表示装置１の共有アカウント情報として設定する。アカウント情報共有部４４は、そのアカウント情報を、複数の表示装置１でユーザ認証に共有利用できるように、表示装置１間での制御を行う。
【００７４】
アカウント情報共有部４５は、そのアカウント情報を、ユーザ認証部４４へのユーザ認証情報５０３の入力手段の１つとして用いるように制御する。即ち、アカウント情報共有部４４は、入力手段２３を通じたアカウント情報入力の代替手段を提供する。ユーザは、通常、表示装置１でのユーザ認証の際、入力手段２３を通じてアカウント情報を入力する。これに対し、実施の形態では、アカウント情報共有部４５によるアカウント共有機能を用いて、共有アカウント情報として登録されているアカウント情報５０４を、ユーザ認証部４４のユーザ認証に係わる処理に用いらせる。これにより、ユーザは、アカウント情報入力操作を省略できる。その他、アカウント情報共有部４５の詳細については後述する。
【００７５】
ユーザ設定部４６は、表示装置１のユーザ設定機能を実現する。ユーザ設定部４６は、ユーザ入力操作に基づいて、表示部２０に設定画面を表示する。ユーザは、ユーザ入力操作に基づいて、設定画面で、表示装置１の全般的な設定を行うことができる。ユーザ設定部４６は、設定状態を管理するための設定情報５０５を、ストレージ２６または不揮発性メモリ等に管理する。他の処理部は、設定情報５０５の設定状態に従って動作を行う。
【００７６】
［ユーザ認証］
コンテンツ配信サービスのユーザ認証のタイミングや通信手順例について以下である。コンテンツ配信サービスへのログイン時にユーザ認証を行う場合には以下である。ユーザの表示装置１は、ユーザ操作に基づいて、コンテンツ配信サービスへログインのためにアクセスする。コンテンツ配信サーバ７は、ログイン時のユーザ認証のために、ユーザ認証情報要求を表示装置１へ送信する。表示装置１は、ユーザ認証情報要求を受信すると、アカウント情報を含むユーザ認証情報をコンテンツ配信サーバ７へ送信する。コンテンツ配信サーバ７は、ユーザ認証情報を受信すると、登録ユーザ認証情報と比較照合してユーザ認証を行い、ユーザ認証の結果が成功の場合には、ログイン許可の旨を応答し、失敗の場合には、ログイン不許可の旨を応答する。
【００７７】
ユーザ認証された正規利用者であるユーザの機器には、コンテンツ視聴ポータル画面が提供される場合がある。表示装置１は、コンテンツ配信サーバ７との通信に基づいて、そのポータル画面を表示する。ポータル画面は、コンテンツ一覧情報等を含む。ユーザは、ポータル画面で、視聴対象コンテンツ等の選択や検索等が可能である。ユーザは、ログイン状態ではユーザ認証不要でコンテンツ視聴可能である。表示装置１は、ユーザにより選択されたコンテンツのコンテンツＩＤを含むコンテンツ再生要求を、コンテンツ配信サーバ７に送信する。コンテンツ配信サーバ７は、コンテンツ再生要求を受信すると、指定されたコンテンツを配信する。
【００７８】
コンテンツ毎にユーザ認証を行う場合には以下である。ユーザの表示装置１は、ポータル画面等でユーザにより選択されたコンテンツのコンテンツＩＤを含むコンテンツ再生要求を、コンテンツ配信サーバ７に送信する。コンテンツ配信サーバ７は、コンテンツ毎のユーザ認証のために、ユーザ認証情報要求を表示装置１へ送信する。表示装置１は、ユーザ認証情報要求を受信すると、アカウント情報を含むユーザ認証情報をコンテンツ配信サーバ７へ送信する。コンテンツ配信サーバ７は、同様にユーザ認証を行い、ユーザ認証の結果が成功の場合には、コンテンツ再生許可の旨を応答し、指定されたコンテンツを配信し、失敗の場合には、コンテンツ再生不許可の旨を応答する。コンテンツ再生要求とユーザ認証情報が一緒に送信される場合もある。
【００７９】
［初回設定］
図５等を用いて、実施の形態１における、アカウント情報に関する初回設定時の動作や処理について説明する。ここで、初回設定とは、ユーザが図１のシステムで表示装置１でのコンテンツ視聴を可能な状態にするために必要な設定である。
【００８０】
［動作シーケンス］
図５は、実施の形態１における初回設定時の機器間の動作シーケンス例を示す。図５で、複数の表示装置１は、アカウント情報共有部４５を含む同じ機能を持つ。図５の例では、宅内ネットワーク５のうち、ある表示装置１ａに、ユーザＵ１の携帯端末２を接続してそのアカウント情報１０１を転送して登録する。そして、宅内ネットワーク５の複数の表示装置１ａ〜１ｎでそのアカウント情報１０１を共有して利用可能にする。図５の初回設定は、携帯端末２に有するアカウント情報１０１を、宅内ネットワーク５の複数の表示装置１内に共有アカウント情報として登録するまでの動作を含む。図５でステップＳ１〜Ｓ９を有する。以下、ステップの順に説明する。
【００８１】
（Ｓ１）  宅内ネットワーク５のいずれかの表示装置１、例えば表示装置１ａに、ユーザＵ１の携帯端末２が無線接続等で接続される。このように携帯端末２が接続される表示装置１ａを、説明上、「第１の機器」ともいう。
【００８２】
（Ｓ２）  第１の機器である表示装置１ａのアカウント情報共有部４５は、携帯端末２と通信し、携帯端末２内に有するアカウント情報１０１を、表示装置１ａに転送させて取得する。この転送の際には、第１の機器から携帯端末２に要求して転送させてもよいし、携帯端末２から第１の機器に指示して転送するようにしてもよい。また、ユーザは、初回設定に対応した入力操作を携帯端末２または表示装置１に行ってもよい。携帯端末２または表示装置１は、その入力操作を受けてアカウント情報の転送を実行してもよい。
【００８３】
（Ｓ３）  第１の機器である表示装置１ａのアカウント情報共有部４５は、携帯端末２から取得したアカウント情報１０１を、自身のストレージ２６内のユーザ認証情報５０３のアカウント情報５０４に、共有アカウント情報として登録する。
【００８４】
（Ｓ４）  一方、宅内ネットワーク５の他の表示装置１、例えば表示装置１ｂは、初回設定時、自身にはアカウント情報を保有していない。表示装置１ｂ〜１ｎのような他の表示装置１を、説明上、「第２の機器」ともいう。第２の機器である表示装置１ｂのアカウント情報共有部４５は、宅内ネットワーク５の他の表示装置１、例えば表示装置１ａに、アカウント情報に関する問合せを行う。この問合せは、アカウント情報を保有しているかどうかの問合せであり、保有している場合の転送依頼を含む問合せである。
【００８５】
（Ｓ５）  第１の機器である表示装置１ａは、第２の機器である表示装置１ｂからの問合せを受信すると、応答を行う。第１の機器のアカウント情報共有部４５は、自身のストレージ２６内に共有アカウント情報として登録済みのアカウント情報を読み出し、そのアカウント情報を含む情報を、問合せ元の第２の機器である表示装置１ｂへ転送する。
【００８６】
（Ｓ６）  問合せ元の表示装置１ｂは、問合せ先の表示装置１ａから応答として転送されたアカウント情報を含む情報を受信すると、そのアカウント情報を、自身のストレージ２６内のユーザ認証情報５０３のアカウント情報５０４に、共有アカウント情報として登録する。これにより、表示装置１ｂ内にもアカウント情報が保有された状態となる。他の表示装置１である表示装置１ｎ等でも、上記動作が同様に行われ、それぞれの表示装置１に同じアカウント情報が保有された状態となる。これにより、初回設定が済んだ状態となる。上記動作は、複数の表示装置１のいずれが第１の機器や第２の機器になる場合でも同様である。例えば、最初に表示装置１ｂに携帯端末２が接続された場合には、表示装置１ｂが第１の機器、他の表示装置１が第２の機器となる。
【００８７】
（Ｓ７）  その後、第１の機器である表示装置１ａは、コンテンツ配信サーバ７との間でユーザ認証が行われる際には、ユーザ認証部４４により、Ｓ３で自身に登録済みのアカウント情報を利用して、ユーザ認証に係わる処理を行うことができる。
【００８８】
（Ｓ８）  また、その後、第２の機器である表示装置１ｂに、ユーザＵ１の携帯端末２が接続されたとする。この場合、表示装置１ｂにＳ６でアカウント情報が登録済みであるため、携帯端末２から表示装置１ｂにアカウント情報を転送する必要は無く、アカウント登録処理が不要である。
【００８９】
（Ｓ９）  第２の機器である表示装置１ｂでは、表示装置１ａと同様に、コンテンツ配信サーバ７との間でユーザ認証が行われる際には、ユーザ認証部４４により、Ｓ６で自身に登録済みのアカウント情報を利用して、ユーザ認証に係わる処理を行うことができる。
【００９０】
［処理フロー（１）］
図６は、実施の形態１の表示装置１における、初回設定時の処理フローを示す。図６の（Ａ）は、図５の「第１の機器」に対応した第１の処理のフローを示す。図６の（Ｂ）は、図５の「第２の機器」に対応した第２の処理のフローを示す。図６の（Ａ）でステップS101〜S105を有する。以下、ステップの順に説明する。
【００９１】
（S101）  第１の機器は、携帯端末２と接続する。
【００９２】
（S102）  アカウント情報共有部４５は、携帯端末２に、携帯端末２に有するアカウント情報の転送を要求し、これにより、携帯端末２からアカウント情報を表示装置１へ転送させる。アカウント情報共有部４５は、転送されたアカウント情報を受信して取得する。
【００９３】
（S103）  アカウント情報共有部４５は、S102で得たアカウント情報を、ストレージ２６内のユーザ認証情報５０３のアカウント情報５０４に共有アカウント情報として登録する。なお、この際、アカウント情報共有部４５からユーザ認証部４４にアカウント情報を渡して、ユーザ認証部４４によりアカウント情報を登録させるようにしてもよい。
【００９４】
（S104）  アカウント情報共有部４５は、宅内ネットワーク５の他の表示装置１である第２の機器からの問合せを待機している。アカウント情報共有部４５は、第２の機器からの問合せを受けた場合（S104-Y）、S105へ進む。
【００９５】
（S105）  アカウント情報共有部４５は、第２の機器からの問合せに対し、その第２の機器へアカウント情報を提供しても問題無いか等を判断する。問題無いことを確認した後、アカウント情報共有部４５は、ストレージ２６内のアカウント情報５０４に保有されている共有アカウント情報を読み出し、そのアカウント情報を含む情報を、宅内ネットワーク５経由で問合せ元の第２の機器へ転送する。
【００９６】
図６の（Ｂ）でステップS111〜S115を有する。以下、ステップの順に説明する。
【００９７】
（S111）  第２の機器のアカウント情報共有部４５は、自身のストレージ２６内のアカウント情報５０４に、アカウント情報を保有しているか、即ち共有アカウント情報が登録済みかを確認する。保有している場合（S111-Y）には初回設定の処理を終了し、保有していない場合（S111-N）にはS112へ進む。
【００９８】
（S112）  アカウント情報共有部４５は、宅内ネットワーク５内に他の表示装置１が接続されているかを確認する。なお、予め接続及びその表示装置１がわかっている場合にはこのステップが省略可能である。他の表示装置１が接続されている場合（S112-Y）にはS113へ進み、接続されていない場合（S112-N）には処理を終了する。
【００９９】
（S113）  アカウント情報共有部４５は、宅内ネットワーク５内の他の表示装置１に対して、宅内ネットワーク５経由でアカウント情報に関する問合せの情報を送信する。問合せ先の他の表示装置１は、第１の機器である場合と第２の機器である場合とがある。
【０１００】
（S114）  アカウント情報共有部４５は、第１の機器からの応答としてアカウント情報が転送されてきた場合（S114-Y）にはS115へ進む。転送されなかった場合には、問合せ先の他の表示装置１はアカウント情報を保有していない第２の機器である。アカウント情報共有部４５は、他の表示装置１がある場合には同様に問合せを行い、いずれの表示装置１からもアカウント情報が転送されなかった場合（S114-N）には、処理を終了する。
【０１０１】
（S115）  アカウント情報共有部４５は、第１の機器から受信したアカウント情報を、自身のストレージ２６内のユーザ認証情報５０３のアカウント情報５０４に共有アカウント情報として登録する。これにより、初回設定の処理が終了する。
【０１０２】
なお、変形例として、S113の問合せにおけるアカウント情報の保有確認と転送依頼とを、別の通信ステップとして分けてもよい。また、第２の機器は、問合せの際、宅内ネットワーク５の他の全ての表示装置１に同様に問合せを実行してもよいし、特定の表示装置１に問合せを実行してもよい。例えば、アカウント情報共有部４５は、宅内ネットワーク５内の第１の機器が予めわかっている場合、その第１の機器のみに転送依頼を送信してもよい。また、表示装置１間でのアカウント情報の転送の際には、アカウント情報に暗号化等が施されてもよい。
【０１０３】
アカウント情報共有部４５は、宅内ネットワーク５の複数の表示装置１におけるアカウント情報の保有及び共有の状態をテーブルに情報管理してもよい。例えば、アカウント情報毎に、テーブルに、各表示装置１の機器ＩＤ、アカウント情報保有有無、役割等の情報が管理されてもよい。役割は、第１の機器、第２の機器等である。
【０１０４】
［効果等］
以上のように、実施の形態１のコンテンツ視聴システムによれば、アカウント情報を用いたコンテンツ視聴の権限の制御を前提として確保しつつ、ユーザがアカウント情報を宅内ネットワーク５の複数の表示装置１に設定する手間を削減でき、各種の環境及び状況で使い勝手が良く利便性を高くすることができる。
【０１０５】
ユーザは、例えば、初回設定で、宅内ネットワーク５の１台の表示装置１である第１の機器に、携帯端末２に有するアカウント情報を登録する作業のみでよい。これにより、自動的に、宅内ネットワーク５の複数の表示装置１でアカウント情報が登録されて共有利用可能な状態になる。宅内ネットワーク５の個別の表示装置１毎にアカウント情報を登録する作業は不要であり、ユーザの手間が小さい。
【０１０６】
従来技術は、携帯端末と表示装置との連携が考慮された技術ではなく、携帯端末にアカウント情報を有している場合でも、そのアカウント情報を宅内ネットワークの複数の表示装置で共有させることは容易ではない。一方、実施の形態１によれば、そのような共有を簡単な操作で容易に実現できる。
【０１０７】
実施の形態１の変形例として、以下が挙げられる。例えば、最初、宅内ネットワーク５の複数の表示装置１として、第１のテレビ、第２のテレビがあるとする。第１のテレビには、携帯端末２のアカウント情報が登録済みであるとする。宅内に、新たに第３のテレビが追加されたとする。第３のテレビのアカウント情報共有部４５は、宅内ネットワーク５に接続されると、自身の初期設定のため、宅内ネットワーク５の他の表示装置１、例えば第１のテレビに問合せを行う。問合せを受けた第１のテレビは、アカウント情報を、第３のテレビへ転送する。第３のテレビは、そのアカウント情報を自身に登録し、初期設定を終える。即ち、変形例におけるアカウント共有機能は、表示装置１が宅内ネットワーク５に接続された際に、アカウント情報の共有のための登録を行う機能を実現する。
【０１０８】
変形例として、宅内ネットワーク５を介さずに、複数の表示装置１間で、及び、表示装置１と外部機器との間で通信可能とする宅内システムの形態でもよい。その場合、アカウント共有機能は、その宅内システムでアカウント情報を共有させる機能である。
【０１０９】
［第１の変形例］
実施の形態１の第１の変形例として以下が可能である。表示装置１である第１の機器は、携帯端末２から取得したアカウント情報を、自身に登録すると共に、即時に、宅内ネットワーク５内の他の表示装置１である第２の機器へ転送する。即時転送されたアカウント情報を受信した第２の機器は、そのアカウント情報を自身に登録する。
【０１１０】
図７は、実施の形態１の第１の変形例における初回設定時の機器間の動作シーケンス例を示す。図７でステップＳ１１〜Ｓ１６を有する。以下、ステップの順に説明する。
【０１１１】
（Ｓ１１〜Ｓ１３）  Ｓ１１で、宅内ネットワーク５のいずれかの表示装置１、例えば表示装置１ａに、ユーザＵ１の携帯端末２が接続される。Ｓ１２で、第１の機器である表示装置１ａのアカウント情報共有部４５は、携帯端末２に有するアカウント情報１０１を表示装置１ａに転送させて取得する。Ｓ１３で、アカウント情報共有部４５は、携帯端末２から取得したアカウント情報１０１を、自身のユーザ認証情報５０３内に共有アカウント情報として登録する。
【０１１２】
（Ｓ１４）  更に、第１の機器である表示装置１ａのアカウント情報共有部４５は、Ｓ１３のアカウント情報を含む情報を、即時に、宅内ネットワーク５内の他の表示装置１である各々の第２の機器へ転送する。この即時転送の情報は、第２の機器に対する登録指示でもある。この即時転送は、例えば、宅内ネットワーク５における他の表示装置１に対するブロードキャスト送信でもよいし、他の各々の表示装置１に対する所定順序での順次送信でもよい。
【０１１３】
（Ｓ１５）  一方、宅内ネットワーク５の他の表示装置１である各々の第２の機器、例えば表示装置１ｂは、Ｓ１４の即時転送の情報を第１の機器から受信する。第２の機器は、そのアカウント情報を、自身のユーザ認証情報５０３内に共有アカウント情報として登録する。これにより、表示装置１ｂ内にもアカウント情報が保有された状態となる。同様に、各表示装置１内でアカウント情報が保有された状態となる。これにより初回設定が済んだ状態となる。上記動作は、複数の表示装置１のいずれが第１の機器や第２の機器になる場合でも同様である。
【０１１４】
（Ｓ１６）  その後、表示装置１ａや表示装置１ｂは、コンテンツ配信サーバ７との間でユーザ認証が行われる際には、自身に登録済みのアカウント情報を利用して、ユーザ認証に係わる処理を行うことができる。
【０１１５】
実施の形態１の第１の変形例では、前述の問合せが不要であり、即時転送を行うことにより、初回設定に要する時間を短縮できる。
【０１１６】
（実施の形態２）
図８〜図９を用いて、本発明の実施の形態２の表示装置１等について説明する。実施の形態２における基本的な構成は、実施の形態１と同様である。以下、実施の形態２における実施の形態１とは異なる構成部分について説明する。実施の形態２は、実施の形態１と同様に宅内ネットワーク５でのアカウント情報共有を実現し、そのための処理方式が実施の形態１と一部異なる。
【０１１７】
実施の形態２では、宅内ネットワーク５の複数の表示装置１のうち、携帯端末２のアカウント情報が登録された表示装置１である第１の機器を「アカウントサーバ」にする。ここでいう「アカウントサーバ」は、宅内ネットワーク５内で代表的にアカウント情報を管理する機器及び役割を指している。宅内ネットワーク５内の他の表示装置１である第２の機器には、アカウント情報を登録しない。第２の機器は、ユーザ認証でアカウント情報が必要になった時に、都度、第１の機器であるアカウントサーバにアクセスしてそのアカウント情報を参照して利用する。
【０１１８】
［動作シーケンス］
図８は、実施の形態２における初回設定時の機器間の動作シーケンス例を示す。図８でステップＳ２１〜Ｓ２８を有する。以下、ステップの順に説明する。
【０１１９】
（Ｓ２１）  宅内ネットワーク５のいずれかの表示装置１、例えば表示装置１ａに、ユーザＵ１の携帯端末２が接続される。
【０１２０】
（Ｓ２２）  第１の機器である表示装置１ａのアカウント情報共有部４５は、携帯端末２に有するアカウント情報１０１を表示装置１ａに転送させて取得する。
【０１２１】
（Ｓ２３）  アカウント情報共有部４５は、携帯端末２から取得したアカウント情報１０１を、自身のストレージ２６のユーザ認証情報５０３のアカウント情報５０４に共有アカウント情報として登録する。第１の機器である表示装置１ａは、共有アカウント情報を管理するアカウントサーバになる。ここまでで初回設定は基本的に終了する。
【０１２２】
なお、Ｓ２３の後に、更に、第１の機器である表示装置１ａから他の表示装置１である各々の第２の機器へ、表示装置１ａがアカウントサーバになったことを通知するステップを設けてもよい。
【０１２３】
（Ｓ２４）  一方、宅内ネットワーク５の他の表示装置１である第２の機器は、アカウント情報を保有していない。第２の機器、例えば表示装置１ｂで、コンテンツ配信サーバ７とのユーザ認証が発生したとする。即ち、ユーザ認証のためにアカウント情報の必要性が発生したとする。
【０１２４】
（Ｓ２５）  第２の機器のアカウント情報共有部４５は、宅内ネットワーク５の第１の機器であるアカウントサーバに対して、アカウント情報の参照要求を送信する。
【０１２５】
（Ｓ２６）  第１の機器のアカウント情報共有部４５は、第２の機器からの参照要求を受けた場合、応答として、Ｓ２３で自身に登録済みのアカウント情報を、要求元の第２の機器へ送信する。
【０１２６】
（Ｓ２７）  第２の機器のアカウント情報共有部４５は、第１の機器から受信したアカウント情報を、自身には登録せずに、ユーザ認証部４４のユーザ認証に係わる処理に利用させる。
【０１２７】
（Ｓ２８）  また、その後、アカウントサーバである表示装置１ａについては、コンテンツ配信サーバ７との間でユーザ認証が行われる際には、自身に持つアカウント情報を利用して、ユーザ認証に係わる処理を行うことができる。
【０１２８】
上記動作は、複数の表示装置１のいずれが第１の機器や第２の機器になる場合でも同様である。上記例では１台の表示装置１ａのみをアカウントサーバとしたが、これに限らず、２台以上がアカウントサーバになってもよい。その場合、第２の機器は、いずれかのアカウントサーバにアクセスすればよい。
【０１２９】
更に、宅内ネットワーク５の複数の表示装置１のうち、特定の表示装置１のみがアカウントサーバになれるように設定されていてもよい。例えば、表示装置１のユーザ設定機能を用いて、表示装置１ａのみがアカウントサーバになれるように設定される。その場合、表示装置１ａ以外の機器は、最初に携帯端末２が接続されたとしても、設定に基づいて、アカウントサーバにならないように制御される。
【０１３０】
［処理フロー］
図９は、実施の形態２の表示装置１における初回設定時の処理フローを示す。図９の（Ａ）は、第１の機器であるアカウントサーバに対応した第１の処理のフローを示す。図９の（Ｂ）は、第２の機器に対応した第２の処理のフローを示す。図９の（Ａ）でステップS141〜S145を有する。以下、ステップの順に説明する。
【０１３１】
（S141〜S143）  S141〜S143のステップは、実施の形態１のS101〜S103と同様である。
【０１３２】
（S144，S145）  S144で、アカウントサーバである第１の機器のアカウント情報共有部４５は、宅内ネットワーク５の他の表示装置１である第２の機器からのアカウント情報の参照要求を待機している。アカウント情報共有部４５は、参照要求を受けた場合、（S144-Y）にはS145へ進む。S145で、アカウント情報共有部４５は、参照要求に対する応答として、自身に持つアカウント情報を、第２の機器へ送信する。
【０１３３】
図９の（Ｂ）でステップS151〜S155を有する。以下、ステップの順に説明する。
【０１３４】
（S151〜S153）  S151で、第２の機器のアカウント情報共有部４５は、ユーザ認証部４４のユーザ認証、即ちアカウント情報の必要性が発生した場合（S151-Y）にはS152へ進む。S152で、アカウント情報共有部４５は、宅内ネットワーク５に第１の機器であるアカウントサーバが接続されているかを確認する。接続されている場合（S152Y）にはS152へ進む。S153で、アカウント情報共有部４５は、第１の機器であるアカウントサーバへ、アカウント情報の参照要求を送信する。
【０１３５】
（S154，S155）  S154で、アカウント情報共有部４５は、第１の機器であるアカウントサーバから、応答として転送されたアカウント情報を受信した場合（S154）、S155へ進む。S155で、アカウント情報共有部４５は、S154で受信したアカウント情報を、ユーザ認証部４４でのユーザ認証に利用させ、自身のストレージ２６内には登録せずに終了する。
【０１３６】
［効果等］
以上のように、実施の形態２によれば、実施の形態１と同様に、宅内ネットワーク５のアカウント情報共有を実現できる。実施の形態２では、ユーザ認証の際に第２の機器から第１の機器に参照を行うステップが必要になるが、第１の機器のみでアカウント情報をセキュアに保持すればよい利点がある。また、共有状態を解除するための設定変更を行う場合には、第１の機器のみで共有アカウント情報の削除等を行えばよい。
【０１３７】
（実施の形態３）
図１０〜図１２を用いて、本発明の実施の形態３の表示装置１等について説明する。実施の形態３における基本的な構成は、実施の形態１と同様である。以下、実施の形態３における実施の形態１とは異なる構成部分について説明する。実施の形態３では、複数台の携帯端末２の複数のアカウント情報が宅内ネットワーク５の表示装置１に登録される場合に起こり得る状況を想定している。実施の形態３では、状況に応じて、設定変更として、表示装置１に登録されているアカウント情報を削除する機能を有する。
【０１３８】
［コンテンツ視聴システム］
図１０は、実施の形態３におけるコンテンツ視聴システム及び動作シーケンス例を示す。図１０は、図１に対し異なる点として、ユーザＵ１の宅内に、ユーザＵ１の友達等のユーザＵ２が招かれている。ユーザＵ１は、自分用の携帯端末２ａである「スマートフォンＡ」を所持しており、ユーザＵ２は、自分用の携帯端末２ｂである「スマートフォンＢ」を所持している。ユーザＵ１は、実施の形態１と同様に、携帯端末２ａに、コンテンツ配信サービスＸ１に関するアカウント情報１０１を有する。また、ユーザＵ２は、携帯端末２ｂに、コンテンツ配信サービスＸ１に関するアカウント情報１０２（Ａ２で示す）を有する。ユーザＵ２は、通常はユーザＵ２の自宅等において、自分の表示装置、携帯端末２ｂ、及びそのアカウント情報１０２を用いて、コンテンツ配信サービスＸ１の利用が可能である。
【０１３９】
図１１の例では、ユーザＵ１の宅内に訪れたユーザＵ２が、ユーザＵ１の所有する表示装置１を一時的に利用させてもらい、携帯端末２ｂのアカウント情報１０２を用いてコンテンツ配信サービスＸ１を利用し、コンテンツを視聴する。その後、ユーザＵ２は、ユーザＵ１の宅内から出て帰宅する。ユーザＵ２は、例えば自宅の表示装置から同じコンテンツ配信サービスＸ１を利用する。実施の形態３では、このような状況でユーザＵ１の宅内の表示装置１の共有アカウント情報を制御する機能について示す。
【０１４０】
［動作シーケンス］
図１０を用いて、実施の形態３の動作シーケンス例を説明する。図１０でステップＳ３１〜Ｓ３６を有する。以下、ステップの順に説明する。
【０１４１】
（Ｓ３１）  まず、ユーザＵ１の宅内での動作については、基本的に実施の形態１で説明した動作と同様である。即ち、携帯端末２ａに有するアカウント情報１０１が例えば表示装置１ａに共有アカウント情報として登録される。
【０１４２】
（Ｓ３２）  ユーザＵ１の宅内に訪れたゲストであるユーザＵ２の携帯端末２ｂが、例えば表示装置１ａに接続される。
【０１４３】
（Ｓ３３）  第１の機器である表示装置１ａのアカウント情報共有部４５は、携帯端末２ｂに有するアカウント情報１０２を、転送により取得する。表示装置１ａは、そのアカウント情報１０２を、自身のストレージ２６内のユーザ認証情報５０３のアカウント情報５０４に登録する。アカウント情報５０４には、ユーザＵ１のアカウント情報１０１及びユーザＵ２のアカウント情報１０２の２つを含む状態となる。
【０１４４】
本例では、アカウント情報共有として、１台の表示装置１ａのみに、ゲストのアカウント情報１０２を保有させるとする。これに限らず、実施の形態１等と同様に、アカウント共有機能により、宅内ネットワーク５の複数の表示装置１でゲストのアカウント情報１０２を保有させることもできる。その場合、アカウント情報共有部４５は、実施の形態１等と同様に、表示装置１間でアカウント情報の転送等を行う。これにより、ユーザＵ２は、各表示装置１でコンテンツ視聴が可能になる。また、宅内ネットワーク５のいずれの表示装置１にも、ゲストの携帯端末２ｂを接続してアカウント情報１０２を登録可能である。後述するが、表示装置１に、ゲストのアカウント情報を登録可能とするか否か等についてのユーザ設定も可能である。
【０１４５】
（Ｓ３４）  表示装置１ａにユーザＵ２のアカウント情報１０２が登録された状態になった。よって、ユーザＵ２は、表示装置１ａで、アカウント情報１０２を用いたユーザ認証を通じて、コンテンツ配信サービスＸ１のコンテンツを視聴することができる。
【０１４６】
（Ｓ３５）  その後、ユーザＵ２は、コンテンツ視聴を終えて、ユーザＵ１の宅内から出て例えば帰宅する。状態１１０１は、ユーザＵ２の携帯端末２ｂが、ユーザＵ１の宅外、例えばユーザＵ２の自宅にある状態を示す。ユーザＵ２は、自宅の表示装置及び携帯端末２ｂを通じて、外部ネットワーク６経由でコンテンツ配信サーバ７からコンテンツ配信サービスＸ１を利用する。
【０１４７】
このように最初ユーザＵ１の宅内にいて表示装置１ａにアカウント情報１０２を登録した携帯端末２ｂが、宅外に出た状況になった場合、ユーザＵ２のアカウント情報１０２は、ユーザＵ１の宅内と、ユーザＵ１の宅外との両方に存在している。このような状況の場合、従来のシステムでは、コンテンツ配信サーバに対する要求として、ユーザＵ１の宅内からの要求と、ユーザＵ１の宅外からの要求とが発生し得る。その場合、コンテンツ配信サーバは、サービス設計にも依るが、異なる場所でのコンテンツ視聴を許可していない場合には、例えば一方の要求に対してユーザ認証の結果を失敗にして視聴を不許可にする。実施の形態３は、このような状況も想定した技術である。
【０１４８】
（Ｓ３５）  第１の機器である表示装置１ａのアカウント共有部４５は、アカウント情報を登録した携帯端末２、例えば携帯端末２ｂについて、例えば定期的に所在確認を行う。アカウント共有部４５は、所在確認として、宅内ネットワーク５を通じて、登録元の携帯端末２が、ユーザＵ１の宅内ネットワーク５に関係付けられた宅内にいるかどうか、検出や判定を行う。この所在確認は、例えば以下のように実現される。
【０１４９】
表示装置１は、携帯端末２が、宅内ネットワーク５に接続されているかどうかの判断によって、宅内にいるか宅外にいるかを検出及び判定してもよい。この接続判断は、表示装置１と携帯端末２との無線接続の有無の判断でもよいし、宅内ネットワーク５を介した表示装置１と携帯端末２との接続の判断でもよい。また、表示装置１は、携帯端末２と最初に無線接続した際の情報に基づいて、その携帯端末２に対して無線接続を試行し、その結果で判定してもよい。即ち、表示装置１は、携帯端末２との無線接続ができる場合や応答がある場合等には、宅内にいると判定し、無線接続できない場合や応答が無い場合等には、宅外にいると判定してもよい。表示装置１は、携帯端末２と最初に無線接続してから、その無線接続が切断された場合や、切断後に所定時間経過した場合等に、宅外にいると判定してもよい。
【０１５０】
所在確認は、表示装置１あるいは宅内ネットワーク５を構成する機器と、携帯端末２との間における、近距離無線通信を利用して実現されてもよい。所在確認は、携帯端末２が発するビーコン等を利用してそのビーコン等を表示装置１により検知する方式を用いてもよい。即ち、表示装置１は、携帯端末２が、宅内に関係付けられた所定半径距離範囲内から出た場合に、宅外にいると判定してもよい。
【０１５１】
Ｓ３５で、表示装置１ａは、ユーザＵ１の宅内にいた複数の携帯端末２のうち、アカウント情報を登録した特定の携帯端末２ｂが、宅内にいない、即ち宅外にいることを検出したとする。
【０１５２】
（Ｓ３６）  表示装置１ａのアカウント情報共有部４５は、Ｓ３５の宅外検出に基づいて、自身に登録され保有しているその携帯端末２ｂのアカウント情報１０２を削除する。これにより、表示装置１ａの設定状態を更新し、そのアカウント情報１０２がユーザ認証に利用できないように無効化する。これにより、ユーザＵ２がユーザＵ１の宅内の表示装置１でのコンテンツ視聴を利用し続けることができないようにされる。
【０１５３】
［処理フロー］
図１１は、実施の形態３の表示装置１における第１の機器としての処理フローを示す。図１１でステップS161〜S165を有する。以下、ステップの順に説明する。
【０１５４】
（S161〜S163）  S161で、第１の機器は、ゲストの携帯端末２、例えばユーザＵ２の携帯端末２ｂと接続する。S162で、第１の機器のアカウント情報共有部４５は、ゲストの携帯端末２のアカウント情報を転送により取得する。S163で、アカウント情報共有部４５は、ゲストのアカウント情報を自身のストレージ２６内のユーザ認証情報５０３のアカウント情報５０４に登録する。
【０１５５】
（S164，S165）  S164で、アカウント情報共有部４５は、S163のアカウント情報の登録元であるゲストの携帯端末２の所在確認を定期的に行う。アカウント情報共有部４５は、ゲストの携帯端末２が宅内にいないこと、即ち宅外にいること、を検出及び判定した場合（S164-N）、S165へ進む。S165で、アカウント情報共有部４５は、自身のストレージ２６内のユーザ認証情報５０３のアカウント情報５０４に登録されているゲストの携帯端末２のアカウント情報を削除する。
【０１５６】
［効果等］
以上のように、実施の形態３によれば、ユーザの宅内に来た友達等の人が一時的に宅内ネットワーク５の表示装置１を利用してコンテンツ視聴を行う場合にも、容易に設定を行うことができる。また、その場合に、宅内の表示装置１に登録されたゲストのアカウント情報について、そのゲストの携帯端末２が宅内から出た場合には削除される。これにより、そのアカウント情報が使用され続ける心配も無い。ゲストのユーザが宅外から表示装置１を利用してコンテンツ視聴すること等も防止される。
【０１５７】
［第１の変形例］
実施の形態３の第１の変形例として以下が可能である。この第１の変形例では、ユーザ認証の結果に応じて、携帯端末２の所在確認及びアカウント情報削除を実行する。
【０１５８】
図１２は、実施の形態３の第１の変形例における表示装置１の第１の機器としての処理フローを示す。図１２でステップS171〜S176を有する。以下、ステップの順に説明する。
【０１５９】
（S171）  実施の形態３と同様に、表示装置１にゲストの携帯端末２のアカウント情報が登録される。
【０１６０】
（S172，S173）  S172で、コンテンツ配信サーバ７とのユーザ認証が発生する。表示装置１は、ゲストのユーザの操作に基づいて、通常のコンテンツ視聴動作シーケンスに従い、コンテンツ配信サーバ７に、コンテンツ再生要求等を送信する。その際、ユーザ認証部４４は、自身に登録済みのゲストのアカウント情報を用いて、そのアカウント情報を含むユーザ認証情報をコンテンツ配信サーバ７に送信する。ユーザ認証部４４は、コンテンツ配信サーバ７からユーザ認証の結果を受信する。S173で、表示装置１は、ユーザ認証の結果が失敗である場合（S173-Y）、S174へ進む。
【０１６１】
（S174，S175）  S174で、表示装置１のアカウント情報共有部４５は、アカウント情報の登録元であるゲストの携帯端末２の所在確認を行う。ゲストの携帯端末２が、宅内にいる場合（S174-Y）には、問題無いため、処理を終了する。宅内にいない場合（S174-N）にはS175へ進む。S175で、アカウント情報共有部４５は、ユーザ認証部４４と連携して、自身に登録されているゲストの携帯端末２のアカウント情報を削除する。
【０１６２】
なお、第１の機器は、アカウント情報削除の際、宅内ネットワーク５の複数の表示装置１に、そのアカウント情報が保有されている場合には、それら複数の表示装置１に保有されている複数のアカウント情報についても、同様に削除する。この場合、例えば、第１の機器は、宅内ネットワーク５の他の表示装置１である第２の機器へ、アカウント情報削除の指示を送信する。その指示を受信した第２の機器は、自身に登録されている該当するアカウント情報を削除する。
【０１６３】
実施の形態３の第１の変形例では、前述のようにユーザＵ１の宅内と宅外とにアカウント情報がある状況で、ユーザ認証の結果が失敗になる場合に、アカウント情報を削除する。これにより、実施の形態３と同様の効果が得られる。なお、S174の所在確認のステップを省略し、ユーザ認証の結果が失敗である場合に即座にアカウント情報を削除する形態としてもよい。
【０１６４】
（実施の形態４）
図１３〜図１６を用いて、本発明の実施の形態４の表示装置１等について説明する。実施の形態４における基本的な構成は、実施の形態１と同様である。以下、実施の形態４における実施の形態１とは異なる構成部分について説明する。実施の形態４では、アカウント共有機能に関して、宅内ネットワーク５の複数の表示装置１で同じ動作及び設定とするのではなく、表示装置１毎に異なる動作及び設定を可能とする。実施の形態４では、アカウント共有機能に関して、表示装置１毎に制限を加える。実施の形態４では、個別の表示装置１毎に、アカウント共有機能の使用有無、即ちアカウント情報を共有するか否か等を設定可能とする。
【０１６５】
実施の形態４の表示装置１では、アカウント共有機能に関する設定をユーザ設定として可能とするユーザ設定機能を提供する。このユーザ設定機能は、図４のユーザ設定部４６を用いて実現される。ユーザ設定部４６は、アカウント情報共有部４５と連携する。ユーザ設定の状態は、設定情報５０５を用いて管理される。アカウント情報共有部４５は、ユーザ設定部４６の設定情報５０５に基づいて、表示装置１毎にアカウント情報を共有するか否か等を制御する。
【０１６６】
実施の形態４の表示装置１では、アカウント共有機能に関するアカウント情報の初回設定の際には、アカウント登録画面を提供し、アカウント登録処理を行う。第１の機器は、アカウント登録画面を通じて、アカウント情報を登録する。
【０１６７】
実施の形態４の表示装置１では、ユーザ設定機能を用いて、表示装置１に設定画面を表示する。ユーザは、その設定画面を見ながら、宅内ネットワーク５の複数の表示装置１に関するアカウント共有機能に関する設定が可能である。
【０１６８】
ユーザ設定機能を用いた設定に応じて、前述の実施の形態１〜３で示した各種の方式から、使用する方式を選択設定可能である。例えば、特定の表示装置１は、実施の形態１のように、第１の機器になることができ、特定の表示装置１は、第１の機器になることはできない、といった設定が可能である。また、特定の表示装置１は、実施の形態２のように、アカウントサーバになることができ、他の表示装置は、アカウントサーバになることができない、といった設定が可能である。また、特定の表示装置１は、実施の形態３のように、ゲストのアカウント情報を登録可能な第１の機器になることができる、といった設定が可能である。
【０１６９】
実施の形態４では、アカウント共有機能に関する設定として以下も可能である。１つの携帯端末２に複数のアカウント情報を有する場合に、表示装置１に、それら複数の全てのアカウント情報を登録するのではなく、一部のアカウント情報を登録するように選択する設定が可能である。また、アカウント情報を有する複数の携帯端末２が存在する場合に、表示装置１に、それら複数の全ての携帯端末２のアカウント情報を登録するのではなく、一部の携帯端末２のアカウント情報を登録するように選択する設定が可能である。また、アカウント情報に関係付けられたコンテンツ配信サービスのコンテンツ群のうち、特定のコンテンツを視聴可、特定のコンテンツを視聴不可にする設定も可能である。
【０１７０】
アカウント情報毎及び携帯端末２毎に、アカウント情報共有に関する設定が可能である。例えば、第１の携帯端末に、第１及び第２のアカウント情報を有するとする。ユーザ設定で、第１のアカウント情報を、宅内ネットワーク５の全ての表示装置で共有させ、第２のアカウント情報を、特定の表示装置１のみで保有させることができる。
【０１７１】
ユーザ設定部４６は、表示部２０に設定画面を表示し、ユーザは、その設定画面を見ながら、表示装置１に対する入力手段２３を通じた入力操作によって、ユーザ設定が可能である。また、前述のように、ユーザは、携帯端末２から表示装置１を操作してもよく、これにより同様にユーザ設定が可能である。その場合、ユーザ設定部４６は、携帯端末２の画面に設定画面を表示してもよい。
【０１７２】
ユーザ設定機能を用いてユーザ設定を行うタイミングについては以下が可能である。ユーザは、基本的に任意のタイミングで、表示装置１または携帯端末２に対する操作により、ユーザ設定機能による設定画面を呼び出して利用可能である。例えば、初回設定の前に、予めユーザ設定が可能である。また、初回設定の後にも、ユーザ設定が可能である。初回設定時には、アカウント登録画面を表示するが、その際にも設定画面に遷移可能である。
【０１７３】
［コンテンツ視聴システム］
図１３は、実施の形態３におけるコンテンツ視聴システム及び動作シーケンス例を示す。図１３は、図１に対し異なる点として、ユーザＵ１の携帯端末２Ａにアカウント情報１１１（A001で示す）を有し、別の携帯端末２Ｂに別のアカウント情報１１２（A002で示す）を有する。アカウント情報１１１は、コンテンツ配信サーバ７ａのコンテンツ配信サービスＸ１用であり、アカウント情報１１２は、コンテンツ配信サーバ７ｂのコンテンツ配信サービスＸ２用である。
【０１７４】
表示装置１ａは、ユーザ設定部４６により、初回設定時にアカウント登録画面を表示し、また、任意タイミングで設定画面を表示する。
【０１７５】
［動作シーケンス］
図１３を用いて、実施の形態４における初回設定時の動作シーケンス例を説明する。本例では、携帯端末２Ａに有するアカウント情報１１１を表示装置１ａに登録し、宅内ネットワーク５の全ての表示装置１で共有させる。携帯端末２Ｂに有するアカウント情報１１２については、ユーザ設定に基づいて特定の表示装置１のみに登録する。図１３でステップＳ４１〜Ｓ４８を有する。以下、ステップの順に説明する。
【０１７６】
（Ｓ４１）  まず、アカウント情報１１１の登録について説明する。例えば、表示装置１ａに携帯端末２Ａが接続される。
【０１７７】
（Ｓ４２）  第１の機器である表示装置１ａのユーザ設定部４６は、初回設定時、アカウント登録画面（後述の図１４）を、表示装置１ａの表示部２０の画面に表示する。ユーザは、アカウント登録画面を見て、携帯端末２Ａに有するアカウント情報１１１を、表示装置１ａを含む全ての表示装置１の共有アカウント情報として登録するか否かを確認する。ユーザは、登録する場合には、登録する旨の入力を行う。
【０１７８】
（Ｓ４３）  ユーザ設定部４６は、Ｓ４２のアカウント登録画面を通じて、ユーザ確認入力に基づいて、アカウント登録処理を行い、表示装置１ａ内にアカウント情報１１１を登録する。この処理は、具体的には、Ｓ４４〜Ｓ４６を含む。
【０１７９】
（Ｓ４４〜Ｓ４６）  Ｓ４４で、アカウント情報共有部４５は、携帯端末２からアカウント情報１１１を転送により取得する。Ｓ４５で、アカウント情報共有部４５は、そのアカウント情報１１１を、ストレージ２６内のユーザ認証情報５０３のアカウント情報５０４に共有アカウント情報として登録する。Ｓ４６で、アカウント情報共有部４５は、宅内ネットワーク５の複数の表示装置１間で、アカウント情報１１１を共有する状態になるように、実施の形態１等と同様に転送等を行う。例えば、表示装置１ｎのアカウント情報共有部４５は、表示装置１ａから転送されたアカウント情報１１１を、自身に登録する。
【０１８０】
（Ｓ４７）  その後、例えば、ユーザが携帯端末２Ａを表示装置１ｎに接続し、表示装置１ｎからコンテンツ配信サービスＸ１を利用すること等ができる。この際には、アカウント情報１１１が共有アカウント情報として表示装置１ｎに登録済みであるため、表示装置１ｎは、アカウント登録画面を出力しない。表示装置１ｎは、ユーザ操作に基づいて、コンテンツ配信サーバ７ａに対して例えばコンテンツＣ１の要求を行う。表示装置１ｎは、そのユーザ認証の際には、自身に保有されているアカウント情報１１１を用いてユーザ認証情報を作成し、コンテンツ配信サーバ７ａに送信する。これにより、ユーザは、表示装置１ｎで、アカウント情報登録の手間無く、コンテンツ配信サーバ７ａからのコンテンツＣ１を視聴することができる。
【０１８１】
（Ｓ４８）  携帯端末２Ｂに有するアカウント情報１１２の登録については以下である。ユーザＵ１は、いずれかの表示装置１、例えば表示装置１ａに対する入力操作で、ユーザ設定機能を呼び出す。この際、ユーザＵ１は携帯端末２Ｂを表示装置１ａに接続して入力操作を行ってもよい。ユーザ設定部４６は、表示装置１ａに設定画面（後述の図１５）を表示する。設定画面では、宅内ネットワーク５の複数の表示装置１について、表示装置１毎に、アカウント情報を共有するか否か等の設定項目を有する。ユーザＵ１は、アカウント情報１１２について、例えば表示装置１ａのみに登録したい場合、設定画面で、表示装置１ａのみに登録させる旨を選択設定する。ユーザ設定部４６はその設定状態を設定情報５０５に保存する。ユーザＵ１は、続けて、アカウント情報１１２の登録を済ませる場合には、携帯端末２Ｂを例えば表示装置１ａに接続する。表示装置１ａのアカウント情報共有部４５は、設定情報５０５に基づいて、自身のストレージ２６内にアカウント情報１１２を登録し、他の表示装置１内には登録しないようにする。
【０１８２】
［アカウント登録画面］
図１４は、初回設定時に携帯端末１が接続された表示装置１により出力するアカウント登録画面の例を示す。このアカウント登録画面は、項目ｆ１、項目ｆ２、項目ｆ３を含む。
【０１８３】
項目ｆ１では、登録確認のメッセージ等を表示する。本例では、項目ｆ１で、「携帯端末に有するアカウント情報を、「ＴＶ１」を含む全ＴＶでの共有アカウント情報として登録しますか？」と表示している。また、項目ｆ１で、そのアカウント情報の内容を確認のために表示している。また、項目ｆ１で、登録するか否かに対応する、はい、いいえボタンを表示している。ユーザは、項目ｆ１で、登録するか否かを選択できる。登録する（はい）が選択された場合は、宅内ネットワーク５の全ての表示装置１でアカウント共有機能を使用するという設定に相当する。そして、実施の形態１等で示した動作シーケンスが自動的に実行される。
【０１８４】
また、項目ｆ１で登録しない（いいえ）が選択された場合等には、項目ｆ２を表示してもよい。項目ｆ２では、従来と同様に、１台の表示装置１のみにアカウント情報を登録させる場合に対応する項目である。本例では、項目ｆ２で、「携帯端末に有するアカウント情報を、「ＴＶ１」のみにアカウント情報として登録しますか？」と表示している。登録する（はい）が選択された場合は、アカウント共有機能は適用されず、宅内ネットワーク５の他の表示装置１にはそのアカウント情報が登録されない。
【０１８５】
また、項目ｆ３では、アカウント共有機能に関するユーザ設定を可能とするボタンを表示している。この項目ｆ３が選択された場合、図１５のような設定画面に遷移する。
【０１８６】
［設定画面］
図１５は、ユーザ設定部４６のユーザ設定機能により表示する設定画面の例を示す。この設定画面は、項目ｇ１〜ｇ５を含む。本例では、初回設定時の表示例を示す。
【０１８７】
項目ｇ１は、宅内ネットワーク５の複数の表示装置１に関する、アカウント共有機能の使用有無を設定する項目である。ユーザは、使用有無を選択可能である。この項目ｇ１で使用すると選択された場合、実施の形態１等で説明したアカウント共有機能が有効状態で適用され、項目ｇ２以下で詳細を設定可能である。この項目ｇ１で、使用しないと選択された場合、適用されず、従来と同様の動作になる。
【０１８８】
項目ｇ２は、機器毎の個別設定を行うか否かに関する設定項目である。ユーザは、個別設定を行うか否かを選択可能である。この項目ｇ２で、個別設定を行うと設定された場合、項目ｇ４でその内容の設定が可能である。
【０１８９】
項目ｇ３は、実施の形態３のようなゲストの携帯端末２に関するアカウント共有機能の適用可否の設定項目である。この項目ｇ３で共有を行うと設定された場合、図示しない別の項目で同様に内容の設定が可能である。
【０１９０】
項目ｇ４は、機器毎の個別設定の項目である。本例では、項目ｇ４で、設定のための表を表示している。ユーザ設定部４６は、設定情報５０５に基づいて、現在の設定状態に対応した内容を持つ表を表示する。この表では、項目として、機器である表示装置１の名称や機器ＩＤ、アカウント共有可否、コンテンツ可否を有する。「アカウント共有可否」項目は、機器ＩＤで示す表示装置１毎に、アカウント共有機能を適用するか否かを設定可能である。ユーザは、「アカウント共有可否」項目で、例えばチェックボタンの操作により、表示装置１毎の可否を設定できる。この項目で可と設定された表示装置１は、アカウント共有機能による動作を行う。この項目で不可と設定された表示装置１は、アカウント共有機能による動作を行わない。例えば、第４行の「ＴＶｎ」で示す表示装置１ｎは、不可と設定され、前述の第１の機器及び第２の機器にならず、アカウント情報も保有しない。
【０１９１】
項目ｇ４は、アカウント情報登録前の初回設定時の表示例であり、個別のアカウント情報や携帯端末２に関する情報の項目は表示されていない。アカウント情報毎の個別設定や携帯端末２毎の個別設定を可能とする項目も同様に実現可能である。
【０１９２】
また、「コンテンツ可否」項目は、機器ＩＤで示す表示装置１におけるコンテンツ毎の視聴可否に関する設定項目である。「コンテンツ可否」項目の内容の設定に関しては、項目ｇ５で可能である。項目ｇ５は、コンテンツ毎の可否の設定項目である。項目ｇ５では、アカウント情報に関係付けられたコンテンツ配信サービスのＩＤも選択可能である。項目ｇ５では、アカウント情報及びコンテンツ配信サービス毎に、コンテンツ一覧を表示する。表示装置１は、コンテンツ配信サーバ７との通信に基づいてコンテンツ一覧情報を取得する。本例では、項目ｇ５に、あるアカウント情報に対応したコンテンツの一覧を表で表示している。これに限らず、コンテンツ毎のアイコンを並べる形式等でもよい。一覧のコンテンツ毎に、図示しない説明情報や、視聴可否、等の項目を有する。ユーザは、「視聴可否」項目で、例えばチェックボタンの操作により、コンテンツ毎の可否を設定できる。なお、基本的に全コンテンツを共有としておき、非共有コンテンツを選択させる形式でもよいし、基本的に全コンテンツを非共有としておき、共有コンテンツを選択させる形式でもよい。
【０１９３】
［設定情報］
図１６は、ユーザ設定部４６により管理する設定情報５０５のテーブルの構成例を示す。図１６のテーブルは、列として、アカウント情報、携帯端末機器ＩＤ、表示装置機器ＩＤ、共有可否、コンテンツ可否を有する。第１列「アカウント情報」は、携帯端末２に有するアカウント情報を示す。第２列「携帯端末機器ＩＤ」は、携帯端末２の機器ＩＤを示す。第３列「表示装置機器ＩＤ」は、表示装置１の機器ＩＤ、例えばＭＡＣアドレスを示す。第４列「共有可否」は、第３列の表示装置１で第１列のアカウント情報を保有して共有するか否かを示すフラグである。第５列「コンテンツ可否」は、コンテンツ毎の視聴可否に関する設定値を示す。例えば「ALL」は、アカウント情報に関係付けられたコンテンツ配信サービスの全コンテンツを視聴可にする設定値を示す。また、この列では個別のコンテンツＩＤが記述可能であり、視聴可にするコンテンツや、視聴不可にするコンテンツを設定可能である。
【０１９４】
第１行〜第３行は、アカウント情報「A001」について、３台の表示装置１で、アカウント共有機能を使用して共有させる設定を示す。第４行〜第６行は、アカウント情報「A002」について、３台の表示装置１のうち表示装置１ａのみに登録する設定を示す。アカウント情報「B001」については、表示装置１ａに保有させるが、特定のコンテンツ「C00003」のみを視聴可能する設定を示す。
【０１９５】
［効果等］
以上のように、実施の形態４によれば、アカウント共有機能に関するユーザ設定機能等を提供し、これにより、ユーザは、画面を見ながら、アカウント登録やユーザ設定を容易に行うことができる。設定操作は、表示装置１単体で直接行うこともできるし、携帯端末２から行うこともできる。ユーザは、ユーザ設定機能を用いて、表示装置１または携帯端末２の画面で、宅内ネットワーク５の複数の表示装置１に関するアカウント共有機能に関する全ての設定をわかりやすく行うことができる。そのため、従来技術のように、複数の機器に対して個別にアカウント情報を設定することと比べて、ユーザの手間が小さく、設定ミスも防止することができる。
【０１９６】
以上、本発明を実施の形態に基づき具体的に説明したが、本発明は前記実施の形態に限定されず、その要旨を逸脱しない範囲で種々変更可能である。前述した複数の実施の形態の組合せ、構成要素の置換、追加及び削除等も可能である。各構成要素や手段は、ソフトウェアプログラム処理またはハードウェア回路等により実現可能である。装置内の各種のデータや情報、プログラムは、外部記録媒体に記録されているものや外部ネットワーク上の装置に記憶されているものを用いる形態でもよい。
【符号の説明】
【０１９７】
１，１ａ，１ｂ，１ｎ…表示装置、２…携帯端末、５…宅内ネットワーク、６…外部ネットワーク、７…コンテンツ配信サーバ、８…放送局、４２…コンテンツ再生部、４４…ユーザ認証部、４５…アカウント情報共有部、４６…ユーザ設定部、１０１…アカウント情報。
【図１】
2017085759.tif 000003
【図２】
2017085759.tif 000004
【図３】
2017085759.tif 000005
【図４】
2017085759.tif 000006
【図５】
2017085759.tif 000007
【図６】
2017085759.tif 000008
【図７】
2017085759.tif 000009
【図８】
2017085759.tif 000010
【図９】
2017085759.tif 000011
【図１０】
2017085759.tif 000012
【図１１】
2017085759.tif 000013
【図１２】
2017085759.tif 000014
【図１３】
2017085759.tif 000015
【図１４】
2017085759.tif 000016
【図１５】
2017085759.tif 000017
【図１６】
2017085759.tif 000018
【国際調査報告】
2017085759.tif 000019
2017085759.tif 000020
2017085759.tif 000021